(57)【要約】　　　（修正有）【課題】光学レンズ面に表面加工するための光学レンズ用個別キャリアを得る。【解決手段】光学レンズ用個別キャリアでプラスチック製、直接一体型の単品で成形され、中心軸１００とこれに直交する正中面をもつ全体に環状をした台座１と、台座１の内側小口５から突き出した、レンズをその縁でつかむための、少なくとも１ヶ所４は弾力的に、半径方向１０１に対応軸に沿って平行移動的に内側の静止点と外側の動作域の間を動かすことのできる少なくとも３ヶ所のつかみ２，３，４；５２，５３，５４と、可動つかみ４と台座１の間に配置され、可動つかみ４に静止点方向の弾性復元力を創り出すバネ６，７とを有するものからなる。【選択図】図１
2004133379.tif 000002
【特許請求の範囲】
【請求項１】
プラスチック製、成形された状態で一体、単品からなる光学レンズ用個別キャリアで、
−中心軸（１００）とこの中心軸に垂直な正中面、レンズをその縁で支えるために台座（１）の内側小口（５）から突き出ている少なくとも３ヶのつかみ（２，３，４；５２，５３，５４）をもつ全体に環状な台座（１）、これらつかみの内少なくとも１ヶ（４）は前記中心軸に対して半径方向（１０１）沿いに平行移動的に内側の静止点と外側動作域の間を弾力的に動け、そして
−可動つかみ（４）と台座（１）の間にある可動つかみ（４）が静止点へ弾力的に復元する力を出すバネ（６，７）。
【請求項２】
少なくとも２ヶのつかみ（２，３）は台座（１）に固定され、つかみ（２，３，４）は可動つかみ（４）が静止点から外側のストローク６ｍｍのどこにあっても、レンズの円形縁は台座の中心軸（１００）に対し相対的に中心が合うか、２ヶの固定つかみ（２，３）側にずれる様に配置されている請求項１のキャリア。
【請求項３】
台座（１）は平らな形状で厚みはその巾に比べて非常に極端に小さな請求項２のキャリア。
【請求項４】
バネ（６，７）は少なくとも生地フィラメント（６，７）からなり、その中立線は台座（１）の正中面に平行な面にひろがる請求項１から３のいずれかのキャリア。
【請求項５】
生地フィラメント（６，７）の中立線の面が台座（１）の正中面に一致する請求項４のキャリア。
【請求項６】
台座（１）の正中面が、接合面を形成する請求項５のキャリア。
【請求項７】
バネが２ヶの生地フィラメント（６，７）の形で台座の中心軸（１００）と可動つかみ（４）の平行移動方向（１０１）を含む対称面に互いに対称の形で作られた請求項４から６のいずれかのキャリア。
【請求項８】
各々のバネフィラメント（６，７）が少なくとも１ヶ所、湾曲や折れ曲がった非直線部（１０，１１）を持つ請求項７のキャリア。
【請求項９】
各々のバネフィラメント（６，７）が波板部（１０，１１）をもつ請求項８のキャリア。
【請求項１０】
バネフィラメント（６，７）の波板部（１０，１１）は関連する可動つかみ（４）に隣接し、残りのフィラメントは台座（１）の低小口（５）に繋がる直線部（８，９）をもつ請求項９のキャリア。
【請求項１１】
各々のバネフィラメント（６，７）の直線部（８，９）が台座（１）の内側対称面と鋭角（α）を形成する請求項１０のキャリア。
【請求項１２】
各々のバネフィラメント（６，７）の波板部（１０，１１）が一層で出来ている請求項９から１１のいずれかのキャリア。
【請求項１３】
可動つかみ（４）の軸方向阻止具（１２，１３）が、少なくとも動作域にある場合、可動つかみ（４）を半径方向の移動性は維持したまま、定軸方向位置に保つ請求項１から１２のいずれかのキャリア。
【請求項１４】
軸方向阻止具（１２，１３）がキャリアの残りの部分と一体成形され、半径方向にかみ合う２つの部分、可動つかみ（４）と一体の可動部（１２）と台座（１）と一体の固定部（１３）、からなり、可動つかみの静止点では互いにかみ合いがはずれ、動作域では互いにかみ合う様に段取りされた請求項１３のキャリア。
【請求項１５】
波板部（１０，１１）が、可動つかみ（４）と一体の阻止具の可動部（１２）と繋がった請求項１０および１４のキャリア。
【請求項１６】
軸方向阻止具（１２，１３）が、それぞれの部分が互いにかみ合い、半径方向にきちんと滑り結合すると、付加的に半径方向案内動作を行う請求項１４および１５のいずれかのキャリア。
【請求項１７】
キャリアが成形されたままの初期状態にありしたがって静止点にある場合、軸方向阻止具の両部分（１２，１３）が互いに少なくとも機械的強度の小さい、つまり人手で両部分（１２，１３）を相互にかみ合わせるための半径方向の力が加えられると簡単に破断してしまう、生地の小さな糸（３１，３２）で繋がっている、請求項１４から１６のいずれかのキャリア。
【請求項１８】
キャリア構成材料を選択し、バネフィラメント（６，７）が室温が１５℃から３５℃で、少なくとも１０サイクル以上、１４０℃、約２０秒の急速加熱をした場合、バネフィラメント（６，７）の弾性率が３Ｎ／ｍｍから１０Ｎ／ｍｍの間となるようにを段取りされた請求項１から１７のいずれかのキャリア。
【請求項１９】
ガラス転移温度が１５０℃に等しいかより高い材料による請求項１から１８のいずれかのキャリア。
【請求項２０】
プラスチック材料がポリアセタール共重合体樹脂、たとえばＲＨＯＤＩＡ社の商品名ＳＮＩＡＴＡＬである請求項１９のキャリア。
【請求項２１】
各々のつかみ（２，３，４；５２，５３，５４）が台座（１）の軸（１００）と向かい合う接面（３５；５５）を有し、つかみの少なくとも１つには少なくとも１つの切欠き（３６，３７；５６）をその接面側にもつ請求項１から２０のいずれかのキャリア。
【請求項２２】
つかみ（２，３，４）がその接面側（３５）に少なくとも２段の切欠き（３６，３７）をもつ請求項２１のキャリア。
【請求項２３】
切欠き（３６，３７）が数は２ヶで、台座の軸（１００）に沿った高さが、大切欠き（３６）、小切欠き（３７）それぞれが誤差２０％以内で４および２ｍｍである請求項２３のキャリア。
【請求項２４】
つかみ（５２，５３，５４）がその接面側（５５）に１ヶの切欠き（５６）をもち、台座の軸（１００）に沿った高さが誤差２０％以内で１３ｍｍある請求項２２のキャリア。
【請求項２５】
１ヶまたは各々の切欠き（２，３，４；５２，５３，５４）がその中心を台座（１）の正中面にもつ請求項２１から２４のいずれかのキャリア。
【請求項２６】
１ヶまたは各々の切欠き（２，３，４；５２，５３，５４）が深さ０．　２から０．　５ｍｍの範囲にある請求項２１から２５のいずれかのキャリア。
【請求項２７】
台座（１）が個別にガラス識別マークをもつ請求項１から２６のいずれかのキャリア。
【請求項２８】
レンズの表面処理のために、１ヶのレンズ処理に使い捨てキャリアが供せられ、このようなレンズを処理した時点で廃棄される請求項１から２７のいずれかのキャリアの使用。
【発明の詳細な説明】
【０００１】
本発明は、該して、光学レンズ表面加工、特に矯正または保護のための眼科用レンズ向け、に関するが、これに限定はされるものではない。より正確には、こうしたレンズの処理中における支持に関する。
本発明の範囲において、または習慣的に、「眼科用レンズ」と言えば、凸状の表側および凹状の裏側を有する、鉱物または合成材料からなる成形または機械加工されたディスクで、フレームに取付けられる様に輪郭を合わせて提供される眼鏡の玉を意味する。輪郭に合わせて作成する前は、こうしたレンズの縁部は多くの場合、全体的に円筒形であるか、円形、または楕円形である。しかしこれは体系化されたケースではないので、本発明の範囲内においては、処理されるレンズの縁部はいかなる形でもありうるとみなされるべきである。
【０００２】
通常、成形または機械加工により形成された後の眼科用レンズに、特別な光学的または機械的特長、例えば耐磨耗性または反射防止の特性などを与えるために、１つあるいは複数の表面処理を適用する。眼科用レンズにこうした処理を適用することにはたいていの場合、眼科用レンズのいずれかの面に少なくとも１層のコーティング材でコーティングすることにより行われる。レンズはまた多くの場合、１４０℃までの比較的高温で加熱される。
特にコーティング層のコーティング段階に関しては、コーティングが非常に高度な均一性をもって行われることが処理されるレンズの光学的品質にとって重要である。
【０００３】
従来、例えば反射防止層などの薄層をコーティングする場合、こうしたコーティングは、例えば米国特許番号２，５３２，９７１号公報において開示されているように、真空下で比較的複雑な処理機械によって行われた。本発明を理解するためには、こうした処理には、約５０ｒｐｍ程度の比較的中くらいの速度で回転している共通キャリア上に、処理される１組のレンズを配置することが実質的に含まれるということを、簡単に述べるだけで十分である。ある種の機械では、一方では共通キャリアへ着脱できるように固定でき、他方では全処理過程を通じてレンズを確実に保持できる手段を備えた個別キャリアによりレンズは共通キャリア上に配置される。
【０００４】
米国特許番号２，５３２，９７１号公報の教示によると、個別キャリアは、リング状の台座で、その円形をした外周には、共通キャリアへの固定手段を持ち、この台座には３ヶのレンズ保持具をその小口で保持している。この保持具の一つは台座に対して固定されており（その位置を調整できるというオプションもある）、他の２ヶの保持具は台座の内側に中心を差し込んだ湾曲したバネブレード（翼型バネ、ｓｐｒｉｎｇ　ｂｌａｄｅ）の自由な両端に取付けられ、台座に繋がっている。かくして後者の保持具は半径方向に移動ができ、レンズを、その縁部を介して、わずかな弾力的な押しつけで掴むことができる。
【０００５】
さらに、例えばマイクロエレクトロニクス分野における使用に適用されるシリコンプレートなどの、他のタイプの基材を処理するために、材料の層のための別の塗布技術が開発された。これは遠心法によって実施され、英語では通常「回転塗布」（ｓｐｉｎ　ｃｏａｔｉｎｇ、スピンコート）と呼ばれる。こうした技術では、基材が自分で回転するように操作され、少量の塗布材が処理されるべき面に塗布される、ということを思い起こせば、本発明を理解するのに十分である。材料の拡散段階中における基材の回転速度は塗布中の回転速度より早く、比較的高速で、実際には基材の処理面全体にわたって材料を適切に分布させるために、１０００ｒｐｍ以上である。
【０００６】
こうした回転塗布処理を眼科用レンズに適用することにより、層の厚さ薄さにかかわらず、あらゆるタイプの層の、厚み均一性が良好な比較的高速な塗布が可能となる。この方法を実施するに当たり、しばしば個別のレンズキャリアは回転プレート上にレンズを固定するためのインタフェース（仲介物）として用いられる。高い回転速度を用いるため、レンズの固定方法は信頼性が高いことが重要であり、これは一方では、レンズが、個別キャリア上に十分に正確かつ堅固に保持され、かついかなる場合でも、遠心力に対抗できなければならず、他方では、個別キャリア自体が回転プレートに十分に安定して収まり、および／または、保持される関係にあらねばならないことを意味する。
独国特許番号３８３８０１２号公報において、各々レンズ枠（ｌｅｎｓ　ｈｏｕｓｉｎｇ）支持フィンガー、レンズをはさむための締付けフィンガーを含む、３つの締付け部品からなる個別キャリアが開示されている。供給機器（ｆｅｅｄｅｒ　ｄｅｖｉｃｅ）で、回転速度に応じてレンズにかかる圧力を変えることができる。とりわけ複雑な、したがって成功率が低く高価な製品が、実施段階と同様に製造段階においても得られる。
【０００７】
ＷＯ００／１４２９５においては、より洗練された、したがって適用がより容易なキャリアを使用することが示唆されている。こうした眼科用レンズキャリアは、平面ディスク型または冠型の台座と、その台座に小口で支持される３ヶのレンズ保持用つかみを含む。これらつかみのうち２つは、台座に対して固定されているが、３つめのつかみは、内側の静止点と移動可能な外側位置との間で半径方向に移動ができる。バネが可動つかみと台座間にあり、弾性復元力が静止点方向に働くため、これによりレンズ縁部を弾力的につかむ半径方向の弾性力を可動つかみに与えている。より詳細には、示されている実施形態のうちのひとつにおいて、弾力性のある柔軟なブレード状のバネで、その両端が埋め込み支柱を介して台座上面に挿入され、中央には可動つかみを保持している。この場合「埋め込み」という用語が適切ではないということを強調しておくべきである。実際、バネブレード（ｓｐｒｉｎｇ　ｂｌａｄｅ）は単に柱部における回転は止められているが、長手方向にはスライドできるようになっている。さもなければ、可動つかみの半径方向逃げは、ゼロに等しいほど、極端に縮小されるであろう。結果として、こうした状況において、バネブレードが柱部および台座から分離されるのは必然である。
【０００８】
こうしたタイプのキャリアの構造は比較的単純であるが、主に、多数の部品の組み立てにからむ製造および実施にかかる費用が依然高額であることに伴う、幾分かの不便さが依然として存在する。より具体的には、こうした部品の供給および組立作業は、こうしたキャリアの費用原価に影響を及ぼす。一方で、各処理後のキャリアのクリーニングは、処理の信頼性および品質のために不可欠であるが、こうした処理サイクルの時間および費用に影響を及ぼす。そして、費用が依然高額すぎるだけでなく、こうしたキャリアが複合構造である結果、そのリサイクルが難しいので、使い捨て可能品として利用することの障害となっている。
その結果、レンズの品質を最高に保つだけでなく、処理費用を減額するために必要な保持および固定特性と、低価格、使い易さ特性の両方を備えた一回使用型キャリアを設計することに関心がもたれるようになった。
【０００９】
こうした理由から、本発明によるプラスティック製、一体物、単体品として成形と同時に提供される、光学レンズ用個別キャリアは以下を包含する：
−中心軸および中心軸に対して垂直の正中面を有する、全体的にリング状の台座。
−小口を通過してレンズを保持するための、台座の内側小口から張り出す少なくとも３つのつかみ、そうしたつかみのうち内側の静止点と移動可能な外側位置との間を前記軸に対して半径方向に復元的に平行移動できる少なくとも１つのつかみ。
−可動つかみの弾性復元力をつかみの静止点に向かって作用させるために、可動つかみと台座との間に配置されるバネ。
【００１０】
かくして、一体成形で得られるため、より低価格な、レンズを保持し、使用中の処理機械の対応部品にキャリアを固定するというすべての所望の機能を発揮する個別レンズキャリアが、得られた。こうして得られた一体物キャリアは、コンパクトで扱いやすく（手動または直接に自動化された装置で）、キャリアの構成部分が分解する危険性がなく、落としたり過度の衝撃を与えた場合に劣化する危険が大幅に減少される。さらに、このようにして得られたキャリアは、いかなる処理方法にも、より具体的には回転塗布にも真空下における処理にも適応することが可能であり、このために、キャリアを対応する機械に固定するために適切な台座が準備される。
【００１１】
本発明によるキャリアはまた、レンズの表面処理用タイプのキャリアに使用するためにも提供される。この場合、レンズ１ヶを処理するための使い捨てキャリアが適用され、こうしたレンズの処理後にキャリアは廃棄される。このようにキャリアの使い捨ての実施が可能になったのは、キャリアの構造および一体物の単一品生産方法が、低額の製造費用を生み、容易なリサイクルを可能にしたからである。したがって、こうした使い捨ては、主にキャリアの取り扱いを（手動でも自動化でも）単純化し、中でも特に、処理サイクルの単純化および流動化に有利に働き、いかなるキャリア清掃工程をも省くため実施費用が削減されることから、物流分野において有利であることがわかる。
【００１２】
台座は、キャリアに取付けられるガラスを個別追跡（ｆｏｌｌｏｗ−ｕｐ）を可能にする個別のガラス識別マークを有するという利点がある。
本発明の有利な特徴として、少なくとも２つのつかみが台座上に固定しているため、静止点から６ｍｍ外側にストロークをもつ可動性のつかみの位置がどうであっても、円形のレンズの縁部は、台座の中心軸に対して、２つの固定つかみ側に偏芯している。したがって回転塗布処理の場合、キャリアとキャリアが保持するガラスがキャリアの台座の中心軸まわりを高速で回転しているとき、ガラスは、弾性復元力を持つ可動つかみに遠心力を及ぼさず、反対にガラスに生じる遠心力は、ガラスが隣接する固定つかみを圧迫する傾向にある。
【００１３】
台座は平らな形をし、軸方向の寸法（すなわち厚さ）は半径方向の寸法（すなわち幅）よりも実質的にかなり小さいことが好ましい。こうした寸法の特徴は、キャリアをレンズの回転塗布処理に使用するにあたって２つの利点を与える。先ず、台座の２面のうち何れかの面を介してキャリアを気体吸引盤付き回転塗布処理装置の回転板に固定するのに充分な基準平面が得られる、すなわち、プレートの周囲に分布される複数の吸引口で隣接する面を吸引することによって台座をプレートに対して維持できる。一般に、こうした基準平面によって、回転塗布処理が必要とする５００ｒｐｍ以上の高速回転が可能となる。他方では、過度に塗布された材料を遠心力によって適切に除去するために、台座の軸方向寸法、すなわち厚さは、出来る限り小さい値で、かつ信頼できる正確な保持ができる十分な剛性を維持することが好ましい。
【００１４】
単純で正確であるという利点を有する実施形態によると、特に成形段階に関し、バネは、少なくとも１ヶの生地フィラメントからなり、その中立線は台座の正中面に平行な平面内にある。かくて、生地フィラメントの中立線面は、都合よく接合面を形成するように、台座の正中面に融合することが好ましい。
特にバネは、台座の中心軸と可動つかみの平行移動方向を含む対称面に対し互いに対称な、２ヶの生地フィラメントの形で存在するのが有利である。
次に各フィラメントは、少なくとも１ヶ所は非直線で、湾曲や折れ曲がった部分を有することが好ましい。それにより、バネの半径方向の弾力による可動性の範囲が広がる。この部分は例えば波形がつけられてもよく、これにより成形の制約にも、広範囲にわたる安定した弾力性の追求にも合致することができる。
【００１５】
本発明の有利な特徴として、可動つかみを軸方向に阻止する、少なくとも可動つかみが動作域にある場合は、可動つかみを例えば正中面内など、軸方向に対し静止点に保ったまま半径方向の可動性を維持する手段が講じられている。実際、可動つかみに充分な軸方向に対する剛性を与えることは重要である。つまり、台座に対して垂直方向に対する保持がバネによるものだけと言うことではこの目的を満たさない。従って軸方向の阻止手段はバネおよび可動つかみの軸方向変形の恐れ、つまり回転塗布処理でレンズおよびキャリアが水平に配置されている場合の縦方向崩壊はレンズの均衡を変えたり、さらには可動つかみによる保持をできなくしたり、品質や処理の良好な運転に損害与えるに至ることを確かに防ぐことができる。このことは、よくあることではあるが、レンズの処理に比較的高温処理が用いられる場合で、キャリア並びに特につかみとこれを台座に繋いでいるバネの材質の軟化がおきる場合、特に重要である。
【００１６】
有利な実施形態において、阻止手段はキャリアの残りの部分と一体成形され、半径方向に互いにかみ合わせになった２つの部品を含み、２つの部品のうち１つは可動つかみと一体になって可動し、もう１つの部品は台座と一体となって固定されている。可動つかみの静止点においては２つの部品のかみ合わせは互いに解除され、動作域においてはお互いにかみ合わせになるように段取りされている。静止点において阻止手段の２つの部品がかみ合わせにならない配置は、挿入工程なしでキャリア全体と２つの阻止手段部品を単体一体成形が可能という点で非常に有利である。
【００１７】
そして巧い具合に、軸方向阻止手段はさらに、２つの部品で互いにかみ合わせになった場合、半径方向に滑り結合して、補完的に半径方向の案内作用を行う。動作域においては、すなわちレンズがキャリア上の所定の位置にあるか、または、手動または自動でオペレーターが、レンズを配置するために可動つかみを操作するとき、これにより形成された滑り結合が巧い具合にバネの曲げすぎによる台座中心軸に平行な軸周りだけでなく、バネのねじりによる直半径方向軸周りに対しても可動つかみの偶然のひっくり返りを自ら妨げる。
【００１８】
さらに有利なことには、キャリアが成形された直後の状態にある場合、したがって静止点にあるとき、阻止手段の２つの部品は互いに、機械的には極く弱い、つまり両者を半径方向にかみ合わせる力を手動で与えたときに破断するような少なくとも１つの細糸状の材料によって連結されている。このようにして阻止手段用２つの部品は、各々互いに適切にブロックされているため互いの半径方向の嵌め合いを損なうような補正改造は必要ない。可動つかみに十分な半径方向の力を与えることにより、糸状の材料が分断されるとともに、両部品が互いに噛み合う。そして、主な半径方向の他に、付随的な軸方向または直半径方向からなる応力要素が作用したとしても、このようなかみ合わせは阻害されることがなく、連動が開始されない限り、糸状材料は、２つの部品のいかなるずれをも妨げられる。一方で、糸状材料はまた、キャリアの完全性の証拠になり、したがって糸状材料が分断されていることは既に使用されていたり、保管や輸送の時点で破損していたことを示す。
【００１９】
その他の本発明の有利な特徴によれば、１５℃〜１４０℃の範囲の室温において、少なくとも１０サイクルの１４０℃で約２０秒間の急速加熱により、バネの弾性率が３Ｎ／ｍｍ〜１０Ｎ／ｍｍの範囲となるように、キャリアを構成する材料が選択され、バネが配置される。実際、レンズ端に対するのバネによる半径方向の締付け応力は、高速回転であってもレンズを確実に保持できる十分な力を持ちながら、レンズを相対的に軟化させる熱処理時に、たとえ局部的であってもレンズを歪ませる危険のないように、値が高すぎてはならないということが重要である。処理温度は実際、１４０℃程度まであってよい。
【００２０】
さらに、キャリア構成要素、特にバネにおいて、高温処理による軟化の影響を制限するために、その硬さはできるだけ安定に保たれることが望ましく、キャリアの構成材料としては１５０℃より高いか同等のガラス転移温度を有するものを宛うのが望ましい。
つかみによるレンズの軸方向の保持を確保するために、前述の理由のために過度の締付けを避けつつ、各つかみは台座の軸に面する接触面を有し、少なくとも１つのつかみは、その接触面に少なくとも１つの切欠部を有する。
【００２１】
多様なレンズの厚みに適応できるようなキャリアは、関連するつかみは、接触面側に少なくとも２つの２段式切欠部を持つのもよい。
つかみのいかなる反り返えりや曲がりをも避けるため、また、一般的に応力を対称に配分するために、１ヶまたは各々の切欠きは、好ましくは台座面中央に配される。
さらに、つかみと、レンズの処理される側またはレンズに適用される塗膜との接触を避けるため、または少なくとも制限するため、１ヶまたは各々の切欠きは、好ましくは深さが０．５ｍｍより浅く、ある程度の効率を保つために０．２ｍｍより深いのが有利である。
本発明におけるその他の特徴および利点は、限定されない実施例として以下に挙げられた、特定の実施形態についての記述を読めば明白であろう
添付された図面については後に記載される。
【００２２】
図面、特に全体的な図１について述べると、本発明に記載の光学レンズ用個別キャリアは、中心軸１００の周囲に、この中心軸に対して垂直な正中面を有する、全体的に回転するリング状の台座１を含む。
図示された例においては、キャリアは、特に回転処理のために適応し、レンズキャリアを機械の回転プレート（示されず）上に固定するため、台座は半径方向の寸法が非常に広いことを機械が必要とするが、軸方向には特段の寸法は必要とされない。このような処理では実際、キャリアは５００ｒｐｍより高速で回転する必要がある。
【００２３】
とは言いながら、軸方向の寸法、すなわち台座１の厚みは、確実かつ正確な保持のために十分な硬さを保ちながらも、できるだけ減らすことが好ましい。事実、回転塗布の際、余分な材料は、回転速度が速いほどますます高速で、小滴の形でレンズから放出される。このような状況において、リング状のキャリアが厚すぎる場合、その小口下部は、レンズを取り囲むある種の円周状の囲い壁を形成し、小滴が自由に放出されるのを妨げ、該小滴は、キャリアの内部小口に跳ね返った後、レンズ上に落ちる。処理の品質、特に塗布の均一性がこれにより損なわれる。
【００２４】
よって、本発明による台座１は、軸方向の寸法（すなわち厚み）が半径方向の寸法（すなわち横幅）よりも非常に小さい、平らな形を有する。「非常に小さい」とは、一方は外径から座金型の内径を差し引いたものと、もう一方はそのような軸方向の寸法との割合が、１０より大きいか１０に等しくなるような軸方向の寸法を意味する。絶対値で言えば、台座１の厚みはいずれにしても５ｍｍより小さい。より正確には、提案されている実施例において、誤差が２０％以内で以下の寸法を有する座金型である：
−外径：１２５ｍｍ
−内径：９０ｍｍ
−厚み（中心軸１００方向に沿って）：２ｍｍ
【００２５】
しかし、いかなるタイプの処理にも、特に回転または真空状態に適応されるキャリアに使用するために、台座は、全体的に環状型であればいかなる形でも（座金、冠、リングなど）、いかなる部分を有していてもよく、対応する型の機械に固定するために適切に配置される。したがって特に台座は、レンズキャリアの固定がリングの外面側を介して行われる真空処理機で使用する場合は、厚さより高さの値が大きい、一般的なリング形状のものを用いる方がよい。
レンズをその小口を介して保持するために、キャリアは、台座１の内側端５から張り出している３つのつかみ２、３、４と共に提供される。これら３つのつかみは、中心軸１００の周囲に規則的に配分され、よって各々２つずつの間の角度はそれぞれ１２０゜の角度がある。
【００２６】
つかみ２および３は、台座１に対し相対的に固定されていて、台座内側小口の下小口５に突起物４０、４１で繋がっている。
可動つかみ４は、軸１００に対し半径方向に、つまり可動つかみ４の中心を通る半径の方向１０１に沿って、弾力的に平行移動的に動ける。可動つかみ４と台座１の間にはバネが配され、可動つかみが図１に示される静止点方向に復元する弾性を生じる。
この復元バネは２ヶの生地フィラメント６、７として形成され、その中立状態のそれ（つまり中心線）は台座１の正中面にある。さらに２ヶの生地フィラメント６、７は、台座１の中心軸１００と可動つかみ４の平行移動の方向１０１を含む対称面に対し、互いに対称である。このような場合、これら２ヶのフィラメントの厚みは台座１のそれより幾分薄くなっている。
【００２７】
２ヶのバネフィラメント６、７はそれぞれ２つの部分、実質的に直線部分８、９と非直線部分１０、１１からなる。
直線部分８、９は台座１の内側縁５に繋がっており、台座内側の対称面にたいし鋭角αをなし、この場合２０％以内の振れで７０゜である。
フィラメントの非直線部分１０、１１は可動つかみ４に隣接する。この部分は湾曲していても折れ曲がっていてもよく、機能として可動つかみ４にレンズの位置決めを容易にし、さらに付加的には各種径のレンズに対応できる様、充分な半径方向の弾力的な動きをあたえればよい。この場合、非直線部分１０、１１は湾曲し、より正確には波形になっているため、成型時の制約ならびに広範囲の安定した弾力性追求という両者をみたしている。さらにより正確には、波板部１０、１１のフィラメントは１層からなる。
【００２８】
可動つかみ４はかくて図１、２、３および５に示す内側の静止点から外側の動作域各所の間を動くが、その範囲は静止点より１ｍｍから各種外径のレンズに対応する。図４および６にその動作域の例を示す。
実際には、提案した実施例では、つかみは縁の径が６８から７３ｍｍの範囲のレンズを掴むよう設定され、これは外側動作範囲の５ｍｍに一致している。したがって可動つかみ４は、半径方向の弾力的な締め付けでつかみ効果を発揮するためにはその静止点から、５＋１＝６ｍｍの有効な動作範囲を持つ必要がある。外側動作範囲ならびに有効なストローク値の誤差は２０％以内である。
【００２９】
より正確には、提示した例でバネフィラメント６、７は誤差２０％以内で次のようになる：
−フィラメントの波板部１０、１１の単層は誤差３０％以内で可動つかみ４の有効ストローク、つまり６ｍｍ、に等しい振幅をもっている；
−中立（または中心）線に沿った直線部分８、９の長さは２０ｍｍ；
−中立（または中心）線に沿った波板部１０、１１の展開長さは２０ｍｍ；そして
−軸１００方向に測ったフィラメントの厚みは両者とも一定で１．　５ｍｍ。
台座１の正中面で測った各フィラメントの巾は誤差２０％以内に規定できる；
−フィラメント全体の巾を一定とするか、例えば２ｍｍ、この場合は直線部と波形部の両者は同じ弾性硬さとなるが、
−それともフィラメントの２つの部分に個別の巾を与えるか、波板部１０、１１の巾を例えば１．　５ｍｍとして直線部分８、９のそれ、例えば２．５ｍｍより小さくした場合、この場合は直線部分８、９が波板部１０、１１よりかなり硬くなる。
【００３０】
本発明によるキャリアの他の重要な特長は、信頼性、正確性、そしてこれによるレンズの堅固な保持性である。この意味において、決定づける部品は可動つかみ４であるが、可動的な、弾力的な繋がりのため台座１に対し固定されたつかみ２および３ほど良好な剛性を与えない。かくて可動つかみ４と台座の繋がりに関し２つの側面が注目される：一方はバネフィラメント６、７の半径方向復元力の硬さであり、他方は可動つかみ４の軸方向の崩壊や先端曲がりに至る力である。かくて始めにバネフィラメント６、７の硬さが正しく調整されなくてはならな
い。目的は実に最良の妥協点を見いだし、バネによりレンズに作用する半径方向の締め付け力が、高速回転時でも高い信頼性でレンズを保持しながら、たとえレンズが相対的に軟らかくなる高温処理中でも部分的にもせよ変形の恐れがないように高すぎないことである。
【００３１】
具体的には、実験により満足がいくバネの弾性率の範囲は、３から１０Ｎ／ｍｍで、もっとも具合の良い妥協点は、６から８Ｎ／ｍｍであることが見いだされた。このような値は次のような条件下で誤差２０％以内で得られる：
−静止点から外側へ６ｍｍのストロークを目論みそして
−この静止点から１ｍｍ
−キャリア近くで測った室温が１５℃から３５℃で、少なくとも１０サイクル以上１４０℃、約２０秒の急速加熱（ここに「急速」加熱とは、キャリア温度を短時間の間に急上昇させる意で、例えば熱風送風機などで行える）。
実際には、上記の値を得るためには２つのパラメータを操作すればよい：
−キャリア構成材料の選定および
−バネフィラメント６、７の準備（形状、寸法）
【００３２】
次いで、可動つかみ４に台座１の中心軸１００方向に対する充分な硬さを確保することが重要であるが、バネフィラメント６、７のみによって作り出されるそれだけでは充分ではないように見える。実際可動つかみ４の軸方向阻止手段は可動つかみ４が動作域にあるときに半径方向の移動性を維持しながら、この場合は台座１の面に中心を置くことになるが、静止した軸方向位置に保つために用いられる。かくて軸方向阻止手段は、レンズの均衡を変えたり、さらには可動つかみ４による保持をできなくしたり、品質や処理の良好な運転に損害を与えるバネフィラメント６、７および可動つかみ４の軸方向変形の危険性（つまり、レンズ、キャリアが水平に回転する回転処理の場合、縦方向崩壊の危険性）を確かに防ぐ。このことは、よくあることではあるが、レンズの処理に１４０℃に至る比較的高温処理が用いられる場合で、キャリア並びに特に可動つかみ４とこれを台座に繋いでいるバネフィラメント６、７の材質の軟化が起こり得る場合、特に重要である。
【００３３】
阻止手段はキャリアの残りの部分と一体成形され、半径方向に互いにかみ合わせになった２つの部品からなり、１つは可動部１２で、可動つかみ４と一体になっており、もう１つは固定部１３で台座１と一体になっている。より正確には固定部１３は軸すべり１０１を形成し、可動部１２を滑り台様に受け入れ抽斗を形成する。抽斗１２および滑り台１３は軸１００と１０１が作る対称面に関し対称である。
図をよりよく理解するために、図３から図６について触れる。
抽斗１２はふつうの子板状で上面１４と下面１５を持つ。これらの面は、キャリアが片面も反対面と同様に使え、両面処理のためにレンズ搭載のまま反転できるという前提の下で制約なしに、簡単に識別するすべとして、また図１から４を説明する場合、高、低と称する。さらに抽斗１２は、軸１００を持つシリンダ状の外側自由端１６、バネフィラメント６、７の波板部１０、１１が繋がり、可動つかみ４を持つ内側端１７、そして軸１０１に平行な側面端１８、１９を有す。
【００３４】
切欠部２０は外側小口１６および抽斗１２の上面１４から凹んでいる。この凹みは外側端１６に平行な底２１を持ちこれで外側端１６に対して凹みをかたちづくる。反対側の軸１０１と平行な２ヶの角形溝２２、２３は、側面端１８、１９と下面１５から、軸１００および１０１が作る対称面に対し対称に凹んでいる。
滑り台１３は台座１の内側端５の凹みとして形成されている。これは抽斗１２用の受け入れ凹み２４、ならびに軸１０１に平行で凹みを囲み制約する３ヶのレール２５、２７、２８からできている。
【００３５】
レール２５は軸１００，１０１が作る対称面に中心を持ち台座１の上面と同一平面にある。この軸１００方向の高さは台座１より低く、切欠部２０のそれに等しいため、可動つかみ４が動作域に押し込まれたとき、レール２５は切欠部２０にはめ込まれ、抽斗１４のための、軸１００に沿う軸方向の受けを形成する。レール２５もまた内側自由端２６を持ち、これが切り欠き部２０の底２１を受けて可動つかみ４のストロークを制約する。このストローク制約により過度の変形によるバネフィラメント６、７が破損するのを防止する。すでに提示した例により、静止点からのこのようなストロークは約６ｍｍに制約されていることが示されている。
【００３６】
レール２７、２８は軸１００、１０１が作る対称面の両側に対称に配され、台座１の低側と同一平面にある。各レール２７、２８は軸１００に沿って高さが台座１より低く溝２２、２３のそれと等しいため、可動つかみ４が動作域に押し込まれたとき、レール２７、２８は溝２２、２３にはめ込まれる。かくてレール２７、２８は軸１００に沿って抽斗１４の、反対側におけるレール２５と補間関係にある、軸方向の受けとなる。このようにして、抽斗１２、必然的に可動つかみ４は軸１００に沿ったある位置で（つまり、この場合は垂直方向に）、両方向に（つまり上方にも下方にも）動けなくなり、これでキャリアをレンズの両面処理のために反転することが可能となる。抽斗１２と可動つかみ４は軸１０１沿いに半径方向の移動性は明らかに保持している。
【００３７】
一方、多少の芯ずれがあっても滑り台に抽斗を容易に挿入するため、レール２７、２８はそれぞれの内側自由端２９、３０を、この場合は杭先状に、面取りしてレール２５の低側端２６より内側まで延ばし、どのような場合でもトラック２５が切欠部２０に進入する前に抽斗１２の軸１０１に押し込むようにしてある。
可動つかみ１４が静止点にある場合、抽斗１２は滑り台１３から離れている。さらに、この静止点では抽斗１２は滑り台１３と向き合い、その外側端１６はその入り口と同一面にあるため、抽斗１２が外側へ押し出されると直ちに、いずれにしても１ｍｍストロークした場合は作動域に入り、滑り台１３に入り込む。
【００３８】
かくて抽斗１２と滑り台が連携して、相互にかみ合わせ、２つの部分がうまく補い合って半径方向に滑り結合したとき、軸方向の阻止動作だけでなく、半径方向のガイド機能も発揮できる。動作域にある場合、つまりレンズがキャリア上にあるか、手動や自動の操作でレンズを取り付けようと可動つかみに働きかけたとき、結果的に生じた滑り結合がうまい具合にバネの曲げすぎによる台座中心軸に平行な軸周りだけでなく、バネのねじりによる直半径方向軸周りに対しても可動つかみの偶然のひっくり返りを自ら妨げる。
【００３９】
さらに、意図したことではないが、キャリアが成形されたままの状態のとき、したがって静止点にあるが、抽斗１２と滑り台１３は２つの細い糸状材料３１、３２で互いに繋がっている。この場合は点であるが、これらの糸はレール２７、２８の先端部２９、３０の先と、抽斗１２の外側小口１６の溝２２、２３の入り口にある。このような糸は機械的強度が小さいから、たまたま破断開始点となり、つまり抽斗１２と滑り台１３を結合するために半径方向に加えられる人の力で壊されるように設けられている。キャリア、そして特に阻止、ガイド手段は、抽斗１２が軸１０１に沿って滑り台１３に相対的に適切にくさび止めされ、両者の半径方向のかみ合わせをずらせないようになっていて、かくて使用可能状態に保たれる。可動つまみ４に加えられた充分な半径方向の力は糸状材料を破壊し、同時に抽斗１２を滑り台１３内へかみ合わせる。この様なかみ合わせは、これが始まらない限り糸状材料が抽斗がずれるのを妨げるため、主となる半径方向成分のほかに、派生した軸方向、直半径方向成分からなる任意の力によっても、危うくなることはない。さらに、糸状材料はまた、キャリアの完全性の証拠になり、これが分断されていることは既に使用されていたか、保管や輸送の時点で破損していたことを示す。
【００４０】
３ヶのつかみ２、３、４は同形である。各つかみはここでは細長い指状をし、台座１の中心軸１００と平行に配置されている。より詳細には、提示例では、各々のつかみは、誤差２０％以内で次のような寸法である：
−高さ１６ｍｍ　これで通常の眼科用眼鏡の大部分に対応できる；
−巾１．　５ｍｍ　台座１の正中面で半径滑り方向１０１に対し直角に計測。
各々のつかみには、中心軸１００と向かい合う接面３５がある。この接面には、図６に描かれているように、レンズ５０の縁部に対応する１ヶかもっと多くの切欠きを持ち、一方で、以前に述べた理由で過剰な挟み付けを防ぎながら、つかみ２、３、４による軸方向（つまり軸１００に沿った方向）の固定を確実にする。
【００４１】
図１から６に示された実施例では、またキャリアを各種厚みのレンズに対応させるため、各々のつかみの接面は高さの異なる２段の切欠き３６、３７を持ち、最小切欠き３７は最大切欠き３６の底に位置する。かくて、例えば縁の厚さが０から４ｍｍのレンズを扱う場合、台座１の軸１００に沿って、それぞれ誤差２０％以内で、４ｍｍと２ｍｍ高さの大切欠き３６と小切欠き３７を持ったキャリアが用いられる。そうすれば、２ｍｍの小切欠き３７がレンズ厚み０から２ｍｍを引き受け、４ｍｍの大切欠き３６がレンズ厚み２から４ｍｍを引き受けられる。さらに多段を、例えば３、４、５段でさえも、提供することも可能である。
【００４２】
一方、図７に示されるように、レンズの縁厚みが２つの切欠きの高い方の高さと等しいか、大きい場合、つまり上で示した例において厚みが４ｍｍに等しいか大きい場合、以前に説明したものにより近い、図７で言えばつかみ５２、５３、５４のような、これらはそれぞれ図１から６のつかみ２、３、４に類似しているが、その接面５５につかみ全体の３分の２以上におよぶ、ただ１ヶの大きな切欠き５６を持つ他のキャリアが用いられる。提示例では、切欠き５５は誤差２０％以内で１６ｍｍ高さのつかみに、中心軸１００方向に、誤差２０％以内で１３ｍｍの高さを有す。
当該つかみがどのようなものであれ、切欠きの数が単数でも複数でも、切欠き３６、３７、５６は台座１の正中面に中心を置く。かくて応力が対称に分布することになり、他にもあるが、つかみの、特に可動つかみ４のひっくり返りや曲がりを防いでいる。
【００４３】
つかみ２、３、４は、可動つかみ４が静止点から外側にストローク６ｍｍの動作域のどこにあっても、キャリア上に搭載したレンズの円形縁はキャリアの回転軸、この場合は台座の中心軸１００となるが、と中心が合うか固定つかみ２、３側にずれる様に配置されている。かくて回転処理において、キャリアとこれが持っているガラスは中心軸１００の周りを高速で回転運動するよう運転されるが、ガラスは弾性復元可動つかみ４に何の遠心力も発生させない。反対に、うまい具合に、芯がずれている場合、ガラスに生じた遠心力はガラスを固定つかみ２、３に押しつけようとする。
さらに、つかみとレンズの処理済面側またはこれに施された塗膜との接触をなくすか少なくとも制限するため、切欠き３６、３７、５６は深さ０．　５ｍｍ以下で、いくらか効率を残すため０．　２ｍｍ以上であることが好ましい。提示された実施例においては、切欠き３６、３７、５６は誤差１０％以内で深さは０．　３ｍｍある。
【００４４】
添付図からは充分明確ではないが、台座１、バネフィラメント６、７、およびつかみ２、３、４の内側外側小口は、特に回転処理の場合、ガラスから飛び出した樹脂滴に対する垂直壁に極力ならないように丸みをつけておく（ｂｌｕｎｔ）ことが望ましいことに注意しておくべきである。
台座１、つかみ２、３、４、バネフィラメント６、７および阻止と案内具１２、１３からなるキャリア全体は成型と同時に一体、一部品のプラスチック製品として製造される。成形工程は台座１の正中面と一致する接合面を持つ２つの半金型で行われる。
高い処理温度によるキャリア構成品、特にバネフィラメント、の軟化効果を制限するために、その剛性はできる限り一定に保たれることが望ましく、このためキャリア構成材料は１５０℃と等しいかより高いガラス転移温度を持つことが好ましい。
【００４５】
使用プラスチック材料は特にポリアセタール共重合体、たとえばＲＨＯＤＩＡ社の商品名ＳＮＩＡＴＡＬとして知られているもので、高温下で優れた安定性があると共に当該処理への使用を満足する化学的耐力をもっている。これには次のような特性がある：
−たわみ係数：２６７０ＭＰａ（２３℃にて）
−荷重下のたわみ温度：１５８℃（０．　４６ＭＰａ荷重下にて）
挿入なしでこの成形を実際に行う場合、バネフィラメント６、７は主に台座１の正中面に広がる。さらに提案された実施形態ではいくつかの対称系が見える：
−キャリアは台座１全体が中心軸１００と可動つかみ４の平行移動方向１０１に関し対称平面を示す；
−接合面である台座１の正中面は、固定つかみ２，３を繋ぐ突起物４０，４１を含め、滑り台１３を省く台座１の大部分の対称面を表す；
−可動つかみ４と関係ある抽斗１２を除くつかみ２，３，４；そして
−バネフィラメント６，７
【００４６】
阻止および案内手段である抽斗１２と滑り台１３の両部分は、キャリアのその他の部分と一体として成形されているということもついでに記されるべきである。かみ合わせ構造の静止点位置における滑り台１３に対する抽斗１２の相対位置関係がこれをキャリア全体と単一工程で成形できることを可能にしている。
いままでに説明したキャリアは、本発明によると、レンズの表面処理、特に回転によるもの、に用いられることを意図している。運転中は、図４に示すとおり、光学レンズ５０は単にその縁５１を介して２つの固定つかみ２，３と可動つかみ４の間に挿入されている。可動つかみはバネフィラメント６，７による復元力に逆らって半径方向外側に予め偏らせられる。
それから可動つかみ４は解放されバネフィラメント６，７の働きでレンズ５０の縁５１に戻ってくる。こうしてレンズ５０はその縁５１で可動つかみ４と固定つかみ２、３の間にしっかり補足される。
【００４７】
レンズ支持キャリアはそれから使用される処理装置（図示していない）の適当な要素の上か中に装着される。台座１はこの機械要素との仲介点となり、その形状、寸法、その固有の配列（溝、肩など）に応じて適宜配置される。塗膜を、回転させながら蒸着する場合、台座は先に説明し、図に描かれている様な独特な形状、つまり２つの広い受け面（「高」と「低」）をもつ通常の座金型、をしているのも回転装置の面にしっかり取り付けられるのでよいかもしれない。
両面処理の場合、キャリアを反転させるだけでよい。台座が環状になっているおかげで、レンズはその両面から処理ができる。
【００４８】
一方、本発明によると、直接成形の一体型キャリアは使い捨て方式を行うのに特に適している。したがってこの場合は１ヶの光学レンズに専用に使用され、このようなレンズの片面ないし両面の処理完了と同時に処分される。このようなキャリア使い捨て型処理方式は、その構造と一体、単品という入手方法のおかげで製造価格を下げ、リサイクルを容易にしたことで可能となった。このような使い捨て方式は、処理サイクルを単純化し、流動化しただけでなく、特にキャリアの取り扱い（人手または自動）を単純化し、また主にキャリアのすべての清掃工程をなくし環境と人の（洗浄薬品に対する）安全に寄与し、かくて価格を下げる、という意味で、物流分野に有効であることもわかっている。
【００４９】
台座は好都合なことに成形と同時に個別のガラス識別マークが付いている。このようなマークは例えばバーコードの形をとる。このような識別マークはかくて各々特定のガラスとの関連づけに、したがって必然的に、それに施される処理について、物流、処理方法の両面からのガラスの追跡調査を確実にするために使える。かくて、とりわけ多方式設備において、各々のガラスに施される種々の処理を特別注文で行うことが可能となる。
また個別識別方式を用いて、各々のガラスをそのガラスが必要とする処理に専念している部署へ振り向けることもできる。このような振り分けは一つの処理場所でも、いくつかの分散した場所でもできる。
【図面の簡単な説明】
【図１】本発明に記載の光学レンズ用個別キャリアを示している、全体的に上から見た斜視図である。
【図２】図１の部分ＩＩの縮小部分図である。
【図３】静止点にブロック手段および誘導手段を有する可動つかみを示している、上から見た、より縮小された部分図である。
【図４】可動つかみが動作域にある、図３に類似の図である。
【図５】図３に類似の底面図である。
【図６】図４に類似の底面図である。
【図７】図１に類似の図であるが、縁部の厚いレンズに適応される保持つかみの代わりの実施形態を示している。
【図１】
2004133379.tif 000003
【図２】
2004133379.tif 000004
【図３】
2004133379.tif 000005
【図４】
2004133379.tif 000006
【図５】
2004133379.tif 000007
【図６】
2004133379.tif 000008
【図７】
2004133379.tif 000009
【外国語明細書】
2004133379.tif 000010
2004133379.tif 000011
2004133379.tif 000012
2004133379.tif 000013
2004133379.tif 000014
2004133379.tif 000015
2004133379.tif 000016
2004133379.tif 000017
【０００１】
2004133379.tif 000018
2004133379.tif 000019
【０００２】
2004133379.tif 000020
【０００３】
2004133379.tif 000021
【０００４】
2004133379.tif 000022
2004133379.tif 000023
【０００５】
2004133379.tif 000024
【０００６】
2004133379.tif 000025
2004133379.tif 000026
【０００７】
2004133379.tif 000027
【０００８】
2004133379.tif 000028
【０００９】
2004133379.tif 000029
【００１０】
2004133379.tif 000030
【００１１】
2004133379.tif 000031
【００１２】
2004133379.tif 000032
【００１３】
2004133379.tif 000033
【００１４】
2004133379.tif 000034
2004133379.tif 000035
【００１５】
2004133379.tif 000036
【００１６】
2004133379.tif 000037
【００１７】
2004133379.tif 000038
【００１８】
2004133379.tif 000039
【００１９】
2004133379.tif 000040
2004133379.tif 000041
【００２０】
2004133379.tif 000042
【００２１】
2004133379.tif 000043
2004133379.tif 000044
【００２２】
2004133379.tif 000045
【００２３】
2004133379.tif 000046
【００２４】
2004133379.tif 000047
【００２５】
2004133379.tif 000048
【００２６】
2004133379.tif 000049
【００２７】
2004133379.tif 000050
2004133379.tif 000051
【００２８】
2004133379.tif 000052
【００２９】
2004133379.tif 000053
2004133379.tif 000054
【００３０】
2004133379.tif 000055
【００３１】
2004133379.tif 000056
【００３２】
2004133379.tif 000057
【００３３】
2004133379.tif 000058
2004133379.tif 000059
【００３４】
2004133379.tif 000060
【００３５】
2004133379.tif 000061
【００３６】
2004133379.tif 000062
【００３７】
2004133379.tif 000063
【００３８】
2004133379.tif 000064
【００３９】
2004133379.tif 000065
2004133379.tif 000066
【００４０】
2004133379.tif 000067
【００４１】
2004133379.tif 000068
【００４２】
2004133379.tif 000069
2004133379.tif 000070
【００４３】
2004133379.tif 000071
【００４４】
2004133379.tif 000072
2004133379.tif 000073
【００４５】
2004133379.tif 000074
【００４６】
2004133379.tif 000075
2004133379.tif 000076
【００４７】
2004133379.tif 000077
【００４８】
2004133379.tif 000078
2004133379.tif 000079
【００４９】
2004133379.tif 000080
【００５０】
2004133379.tif 000081
2004133379.tif 000082
2004133379.tif 000083
2004133379.tif 000084
2004133379.tif 000085
2004133379.tif 000086
2004133379.tif 000087
2004133379.tif 000088
2004133379.tif 000089
2004133379.tif 000090
2004133379.tif 000091
2004133379.tif 000092
2004133379.tif 000093
2004133379.tif 000094
2004133379.tif 000095
2004133379.tif 000096
2004133379.tif 000097
2004133379.tif 000098
2004133379.tif 000099
2004133379.tif 000100